(57)【要約】【課題】グリース漏れを防止し、保持器強度を上げることができる転がり軸受を提供することである。【解決手段】外輪２の内径面と内輪３の外径面のいずれか一方の端部に、密封装置６の外径又は内径のいずれか一方を固定する固着部２ａを有し、外輪の内径面と内輪の外径面のいずれか他方の端部に、密封装置の外径又は内径のいずれか他方との間でシール領域を構成するシール溝部３ｂを有し、シール溝部には、外輪内径面又は内輪外径面から連続し、シール溝部の溝底上方に鉛直方向で重なるように突出する環状の突出壁部３ａを有し、密封装置の外径又は内径のいずれか一方には、シール溝部の溝底３ｅから立ち上げられた立壁部３ｃに接触して接触の第１シール領域Ｂを構成する第１のシールリップ６ｂと、溝底との間で非接触の第２のシール領域Ｃを構成する第２のシールリップ６ａと、記突出壁部と密封装置の内面との間で非接触の第３のシール領域を構成する。【選択図】図１
2017145850.tif 000002
【特許請求の範囲】
【請求項１】
外輪と
内輪と
外輪と内輪との間に組み込まれる複数個の転動体と、
円環状に形成され、外輪と内輪との間で形成される軸受空間内を密封する密封装置とを少なくとも含み、
前記外輪の内径面と前記内輪の外径面のいずれか一方の端部に、前記密封装置の外径又は内径のいずれか一方を固定する固着部を有し、
前記外輪の内径面と前記内輪の外径面のいずれか他方の端部に、前記密封装置の外径又は内径のいずれか他方との間でシール領域を構成するシール溝部を有し、
前記シール溝部には、外輪内径面又は内輪外径面から連続し、シール溝部の溝底上方に鉛直方向で重なるように突出する環状の突出壁部を有し、
前記シール溝部とともにシール領域を構成する密封装置の外径又は内径のいずれか一方には、前記シール溝部の溝底から立ち上げられた立壁部に接触して接触の第１シール領域を構成する第１のシールリップと、
前記溝底との間で非接触の第２のシール領域を構成する第２のシールリップと、
前記突出壁部と密封装置の内面との間で非接触の第３のシール領域を構成することを特徴とする転がり軸受。
【発明の詳細な説明】
【技術分野】
【０００１】
本発明は、シールを装着する転がり軸受において、シールと保持器ポケット部の干渉回避及びグリース漏れ防止を可能とする転がり軸受に関する。
【背景技術】
【０００２】
転がり軸受は、図３に示すように、相対回転可能に配される一対の軌道輪（外輪１０と内輪２０）と、外輪１０と内輪２０との間に組み込まれる複数の転動体３０と、該転動体３０を保持する保持器４０と、外輪１０と内輪２０間にわたって組込まれる密封装置（シール）５０とで構成されているものが知られている。
このような転がり軸受に組込まれる密封装置５０としては、全体にわたって一定厚さを有する円板状本体の外径側にフランジを周設してなる全体円環状に形成された金属製の芯金５１と、芯金５１の一部又は全部を被覆して全体円環状に形成されるゴムなどの弾性部材５２とで構成されている。
【０００３】
このような密封装置のシール性を向上させている先行技術として、例えば、密封装置５０に、主リップ５３、第一の副リップ５４、そして第二の副リップ５５を芯金５１の周りに一体成形した３重リップ構造としたものが知られている（例えば特許文献１を参照）。
具体的には、転がり軸受内に向けて延びる主リップ５３の先端部を内輪２０のシール溝２１の側面部２２に締め代を持って摺接させるとともに、転がり軸受２０の外側へ延びる第一の副リップ５４の先端部を内輪２０のシール溝２１の外面部２３に近接させ、主リップ５３よりも直径方向外側（即ち、円環形状の密封装置５０の中心から半径方向外側）に、断面視台形状の第二の副リップ５５が転がり軸受の中央に向けて突出し、その先端部は、内輪２０の肩部２４に近接して配置されている。
【先行技術文献】
【特許文献】
【０００４】
【特許文献１】特開平２００４−３０８８０８号公報
【発明の概要】
【発明が解決しようとする課題】
【０００５】
しかしながら、従来の３重リップ構造をもつ密封装置（シール）では内部空間が十分に確保できない場合、軸方向保持器動き量やアキシアルすきまにより、グリースリップと保持器との干渉が問題となる（図３の符号Ａの円内に当該干渉域を示す）。
また、仮に２重リップ構造の密封装置（シール）の場合、保持器との干渉はクリアできている場合であっても、密封装置（シール）と内輪の接触が不十分である場合や、２重リップ構造のため３重リップ構造に比べ内部に充填しているグリースの漏れやすいことがある。
【０００６】
そこで、本発明は、従来技術の有するこのような問題点を解決するためになされたものであり、その目的は、グリース漏れを防止し、保持器強度を上げることができる転がり軸受を提供することである。
【課題を解決するための手段】
【０００７】
この目的を達成するために、本発明は、外輪と内輪と外輪と内輪との間に組み込まれる複数個の転動体と、円環状に形成され、外輪と内輪との間で形成される軸受空間内を密封する密封装置とを少なくとも含み、前記外輪の内径面と前記内輪の外径面のいずれか一方の端部に、前記密封装置の外径又は内径のいずれか一方を固定する固着部を有し、前記外輪の内径面と前記内輪の外径面のいずれか他方の端部に、前記密封装置の外径又は内径のいずれか他方との間でシール領域を構成するシール溝部を有し、前記シール溝部には、外輪内径面又は内輪外径面から連続し、シール溝部の溝底上方に鉛直方向で重なるように突出する環状の突出壁部を有し、前記シール溝部とともにシール領域を構成する密封装置の外径又は内径のいずれか一方には、前記シール溝部の溝底から立ち上げられた立壁部に接触して接触の第１シール領域を構成する第１のシールリップと、前記溝底との間で非接触の第２のシール領域を構成する第２のシールリップと、前記突出壁部と密封装置の内面との間で非接触の第３のシール領域を構成することを特徴とする転がり軸受としたことである。
【発明の効果】
【０００８】
本発明の転がり軸受によれば、グリース漏れを防止し、保持器強度を上げることができる転がり軸受を提供することである。
【図面の簡単な説明】
【０００９】
【図１】本発明による第一実施形態の転がり軸受を示す要部断面図である。
【図２】本発明による第二実施形態の転がり軸受を示す要部断面図である。
【図３】従来の転がり軸受を示す要部断面図である。
【発明を実施するための形態】
【００１０】
以下、本発明による転がり軸受の第一実施形態について、添付図面を参照して説明する。図１は本発明転がり軸受の第一実施形態、図２は第二実施形態をそれぞれ示す。なお、本実施形態は、本発明の一実施形態であって、何等これに限定解釈されるものではなく本発明の範囲内で設計変更可能である。
【００１１】
［第一実施形態］
図１に示すように、転がり軸受１は、外輪２と内輪３との間に組み込まれる複数個の転動体４と、円環状に形成され、外輪２と内輪３との間で形成される軸受空間内を密封する密封装置６とを少なくとも含んで構成される。
【００１２】
外輪２の内周面には、その中央部周方向に外輪軌道２ｂが形成されており、内輪３の外周面には、その中央部周方向に内輪軌道３ｅが形成されている。そして、複数個の転動体４は、外輪軌道２ｂと内輪軌道３ｅとの間に、保持器５を介して転動自在に保持される。なお、外輪２、転動体４、保持器５にあっては、特に限定して解釈されるものではなく、本発明の範囲内で周知の構成が適用可能である。
【００１３】
密封装置６は、一定厚さを有する円板状本体の外径側にフランジを周設した断面視略Ｌ字形で全体円環状に形成された肉厚な金属製の芯金６ｃと、芯金６ｃの外面全域と外径側及び内径側を被覆したゴムなどの弾性部材とで構成されている。なお、ゴムなどに限定されず、合成樹脂材などの他の弾性部材から構成されるものであってもよい。
【００１４】
次に、密封装置６が組み立てられた本実施形態の転がり軸受について説明をする。
転がり軸受１には、外輪２の内径面の端部に、密封装置６の外径を固定する固着部２ａを有し、内輪３の外径面の端部に、密封装置６の外径の他方との間でシール領域を構成するシール溝部３ｂを有している。
【００１５】
該シール溝部３ｂには、外輪内径面又は内輪外径面から連続し、シール溝部３ｂの溝底３ｄ上方に鉛直方向で重なるように突出する環状の突出壁部３ａを有している。なお、シール溝部３ｂの溝形状も本実施形態に限定されるものではなく任意に周知形態が適用可能である。
【００１６】
また、本実施形態では、第１のシールリップ６ｂと第２のシールリップ６ａの２重リップ構造としている。具体的には、シール溝部３ｂとともにシール領域を構成する密封装置６の内径には、シール溝部３ｂの溝底３ｄから立ち上げられた立壁部３ｃに接触して接触の第１シール領域Ｂを構成する第１のシールリップ６ｂと、溝底３ｄとの間で非接触の第２のシール領域Ｃを構成する第２のシールリップ６ａを構成している。
【００１７】
第２のシールリップ６ａは、シール溝部３ｂの溝底３ｄとの間に小間隙なラビリンスを形成して密封を図って、これにより水、埃、等といった異物の軸受内部への浸入を阻止するダストリップとして機能している。また、第１のシールリップ６ｂによっても、外部からの圧力などによって容易に捲れないように軽圧接状に接触して、異物の浸入及びグリース漏れは防止される。
【００１８】
また、本実施形態では、突出壁部３ａと密封装置６の内面との間で非接触の第３のシール領域Ｄを構成している。
本発明は、密封装置６と内輪３の形状を特徴とするもので、内輪３に突出壁部（突起）３ａをつくり上記のような２重構造にシールリップを組み合わせることで、これにより、内部空間に余裕が生まれ保持器ポケット部との干渉を回避しやすくなると同時に、内部空間に余裕が生まれることにより、保持器ポケット底厚や面取等を変更し、保持器強度を上げることができる。
さらにシールの２重のリップ構造 に内輪２の突出壁部（突起）３ａで、内部に充填するグリースの漏れを防止することができる。
【００１９】
［第二実施形態］
図２には本発明の第二実施形態を示し、第一実施形態に対して外輪２に突出壁部（突起）２ｅを設け、外輪３（シール外径側）を２重シールリップ構造としたものである。なお、外輪２と内輪３と、外輪２と内輪３との間に組み込まれる複数個の転動体４と、円環状に形成され、外輪２と内輪３との間で形成される軸受空間内を密封する密封装置であることの構成は、第一実施形態と同様である。
【００２０】
第二実施形態の転がり軸受は、内輪３の外径面の端部に、密封装置６の内径を固定する固着部３ｆを有し、外輪２の端部に密封装置６の外径との間でシール領域を構成するシール溝部２ｂを有し、シール溝部２ｂには、外輪内径面から連続し、シール溝部２ｂの溝底２ｃ上方に鉛直方向で重なるように突出する環状の突出壁部２ｅを有し、シール溝部２ｂとともにシール領域を構成する密封装置６の外径には、シール溝部２ｂの溝底２ｄから立ち上げられた立壁部２ｃに接触して接触の第１シール領域Ｅを構成する第１のシールリップ６ｅと、溝底２ｄとの間で非接触の第２のシール領域Ｆを構成する第２のシールリップ６ｄと、突出壁部２ｅと密封装置６の内面との間で非接触の第３のシール領域Ｇを構成している。
【００２１】
これにより、密封装置６と外輪２の形状を特徴とするもので、外輪３に突出壁部（突起）２ｅをつくり上記のような２重構造にシールリップを組み合わせることで、これにより、内部空間に余裕が生まれ保持器ポケット部との干渉を回避しやすくなると同時に、内部空間に余裕が生まれることにより、保持器ポケット底厚や面取等を変更し、保持器強度を上げることができる。
さらにシールの２重のリップ構造 に外輪２の突出壁部（突起）２ｅで、内部に充填するグリースの漏れを防止することができる。
【符号の説明】
【００２２】
１    転がり軸受
２    外輪
３    内輪
４    転動体
５    保持器
６    密封装置
【図１】
2017145850.tif 000003
【図２】
2017145850.tif 000004
【図３】
2017145850.tif 000005